(57)【要約】【課題】  ユーザ自身が独自に収集したデータに基づいて、容易にスケジュールアラーム設定を行うことができるスケジュールアラーム設定方法を提供する。【解決手段】  ブラウザ機能部１０２が表示部１０４にＷＥＢコンテンツ情報を表示している場合に、ユーザはサブメニューボタンを選択することにより、表示部１０４に表示した情報に対して実行させる処理として、「スケジュールアラーム連携」を選択できる。「スケジュールアラーム連携」が選択されると、スケジュールアラーム制御部１０１は、表示データ取得部１０５に時刻情報検索処理をさせる。時刻情報検索処理は、表示部１０４に表示された情報から時刻に関する部分を検索し、記憶する処理である。スケジュールアラーム制御部１０１は、ユーザによって指定された時刻情報をスケジュールアラームに設定する。【選択図】  図１
2006203636.tif 000002
【特許請求の範囲】
【請求項１】
情報を表示する表示部を備え予め設定されたアラーム設定時刻にアラームを出力可能な携帯電話機におけるアラーム設定時刻を設定するスケジュールアラーム設定方法において、
表示部に表示された表示情報から時刻に関する情報を検索し、
検索した結果をアラーム設定時刻として記憶する
ことを特徴とするスケジュールアラーム設定方法。
【請求項２】
通信ネットワークを介して提供されるＷＥＢコンテンツ情報を取得して表示し、前記ＷＥＢコンテンツ情報から時刻に関する情報を検索する
請求項１記載のスケジュールアラーム設定方法。
【請求項３】
検索した結果から一つまたは複数の情報を選択し、アラーム設定時刻として記憶する
請求項２記載のスケジュールアラーム設定方法。
【請求項４】
時刻に関する情報以外の表示情報の一部を選択し、選択した情報をアラーム設定時刻に付随させる
請求項３記載のスケジュールアラーム設定方法。
【請求項５】
アラームを出力するときに、アラーム設定時刻に付随している情報を表示部に表示する
請求項４記載のスケジュールアラーム設定方法。
【請求項６】
時間の差分を指定し、アラーム設定時刻に対する時間の差分を計算した時刻にアラームを出力する
請求項４記載のスケジュールアラーム設定方法。
【請求項７】
時間間隔を指定し、アラーム設定時刻に対する時間差を計算した時刻からアラーム設定時刻までの間に指定した時間間隔でアラームを出力する
請求項６記載のスケジュールアラーム設定方法。
【請求項８】
情報を表示する表示部を備え予め設定されたアラーム設定時刻にアラームを出力可能な携帯電話機におけるアラーム設定時刻を設定するスケジュールアラーム設定システムにおいて、
表示部に表示された表示情報から時刻に関する情報を検索する時刻情報検索手段と、
検索した結果をアラーム設定時刻として記憶するアラーム設定手段と
を備えたことを特徴とするスケジュールアラーム設定システム。
【発明の詳細な説明】
【技術分野】
【０００１】
本発明は、予め設定されたアラーム設定時刻にアラームを出力可能な携帯電話機におけるスケジュールアラーム設定方法およびスケジュールアラーム設定システムに関する。
【背景技術】
【０００２】
従来より、スケジュールアラーム設定機能付き携帯電話機が普及している。携帯電話機のスケジュールアラーム設定機能には、件名や日時を入力する機能や、指定時刻に達した場合に出力するアラームの音量や音色を設定する機能などがある。
【０００３】
近年では、電子メール機能やブラウザ機能を搭載した携帯電話機の普及に伴い、例えば、待ち合わせの日時や場所について連絡を取り合うために電子メール機能が利用される。また、ブラウザ機能を利用してＷＥＢサイトにアクセスすることにより、交通機関の乗り換え案内やテレビ番組表など、スケジュール管理に役立つ様々なコンテンツを利用することができる。
【０００４】
図１４は、一般的な携帯電話機の構成例を示すブロック図である。図１４に示す携帯電話機１４００は、スケジュールアラーム設定に関する各種制御を行うスケジュールアラーム制御部１４０１と、ブラウザ機能部１４０２と、画面表示に関する各種制御を行う表示制御部１４０３と、その他の各種の機能部１４１０−１〜３１０−ｎとを備える。表示制御部１４０３は、表示部１４０４を備える。ブラウザ機能部１４０２を利用して画面にデータを表示する場合、表示データ１４２０は無線回線を介してブラウザ機能部１４０２に出力される。
【０００５】
図１５、図１６、図１７、図１８および図１９は、携帯電話機においてスケジュールアラームを設定する方法の一例を説明するための説明図である。図１５〜１９では、ＷＥＢサイトのコンテンツ情報を参照してスケジュールアラーム設定を行う場合を例示する。
【０００６】
図１５は、乗り換え案内コンテンツ画面１５００の一例を示す説明図である。例えば、交通機関の乗り換え案内のコンテンツでは、乗車駅と下車駅、出発予定時刻などを入力すると、乗り換え案内コンテンツ画面１５００に例示するように、電車等の出発時刻、乗り換え駅の駅名および乗り換え時刻、到着時刻などが表示される。ユーザは表示された内容を記憶しておく。
【０００７】
次に、ユーザによってスケジュールアラーム設定アプリケーションが起動されると、スケジュールアラーム設定画面１６００が表示され、ユーザはアラーム出力の開始時間及び停止時間の入力を促される。図１６、図１７および図１８は、携帯電話機におけるスケジュールアラーム設定画面の一例を示す説明図である。
【０００８】
複数のスケジュールアラームを設定したい場合は、図１７に示すスケジュールアラーム設定画面１７００および図１８に示すスケジュールアラーム設定画面１８００を表示し、繰り返し設定を行う。最後に、スケジュールアラーム設定確認画面１９００が表示されるので、間違いがないか確認する。図１９は、携帯電話機におけるスケジュールアラーム設定確認画面１９００の一例を示す説明図である。
【０００９】
一般的な携帯電話機では、ＷＥＢサイトのコンテンツ情報や電子メールの内容に含まれる日時等の情報をスケジュールアラーム設定機能に利用する場合は、予めコンテンツや電子メールの情報を記憶するなどして、別途スケジュールアラーム設定用の画面等において情報を入力する必要があった。
【００１０】
そのため、電子メール機能とスケジュールアラーム設定機能を連動し、受信した電子メールに記載された日時等の情報を自動的にスケジュールアラーム設定対象として登録することができる携帯型情報通信端末が提案されている（例えば、特許文献１参照）。
【００１１】
【特許文献１】特開２００３−１０８５０１号公報（段落００１０−００１１）
【発明の開示】
【発明が解決しようとする課題】
【００１２】
しかし、特許文献１に記載された方式では、スケジュールアラーム設定対象として登録できる情報は、他人から送信された電子メールの内容である。従って、ユーザ自身がブラウザ機能等を利用して、独自に収集したデータを登録することができない。
【００１３】
また、携帯電話機の機能が多様化し複雑になっていることから、操作が困難になり、機能を十分に利用できないという問題があった。
【００１４】
そこで、本発明は、ユーザ自身が独自に収集したデータに基づいて、容易にスケジュールアラーム設定を行うことができる携帯電話機におけるスケジュールアラーム設定方法およびスケジュールアラーム設定システムを提供することを目的とする。
【課題を解決するための手段】
【００１５】
本発明によるスケジュールアラーム設定方法は、情報を表示する表示部を備え予め設定されたアラーム設定時刻にアラームを出力可能な携帯電話機におけるアラーム設定時刻を設定するスケジュールアラーム設定方法であって、表示部に表示された表示情報から時刻に関する情報を検索し、検索した結果をアラーム設定時刻として記憶することを特徴とする。
【００１６】
通信ネットワークを介して提供されるＷＥＢコンテンツ情報を取得して表示し、ＷＥＢコンテンツ情報から時刻に関する情報を検索してもよい。そのような構成によれば、交通機関の乗り換え案内などの時刻情報を含むコンテンツ情報において、内容をユーザ自身が記憶することなくスケジュールアラーム設定することができる。
【００１７】
検索した結果から一つまたは複数の情報を選択し、アラーム設定時刻として記憶してもよい。そのような構成によれば、アラームが必要な時刻のみを設定することができる。
【００１８】
時刻に関する情報以外の表示情報の一部を選択し、選択した情報をアラーム設定時刻に付随させてもよい。そのような構成によれば、アラーム設定時刻に関する付加的な情報を容易に設定することができる。
【００１９】
アラームを出力するときに、アラーム設定時刻に付随している情報を表示部に表示してもよい。そのような構成によれば、アラーム出力時に付加的な情報を容易に確認できる。
【００２０】
時間の差分を指定し、アラーム設定時刻に対する時間の差分を計算した時刻にアラームを出力してもよい。
【００２１】
時間間隔を指定し、アラーム設定時刻に対する時間差を計算した時刻からアラーム設定時刻までの間に指定した時間間隔でアラームを出力してもよい。
【００２２】
本発明によるスケジュールアラーム設定システムは、情報を表示する表示部を備え予め設定されたアラーム設定時刻にアラームを出力可能な携帯電話機におけるアラーム設定時刻を設定するスケジュールアラーム設定システムであって、表示部に表示された表示情報から時刻に関する情報を検索する時刻情報検索手段と、検索した結果をアラーム設定時刻として記憶するアラーム設定手段とを備えたことを特徴とする。
【発明の効果】
【００２３】
本発明によれば、ユーザ自身が独自に収集したデータに基づいて、容易にスケジュールアラーム設定を行うことができるという効果がある。
【発明を実施するための最良の形態】
【００２４】
実施の形態１．
以下、本発明の第１の実施の形態を図面を参照して説明する。図１は、本発明の第１の実施の形態における携帯電話機の構成例を示すブロック図である。図１に示す携帯電話機１００は、スケジュールアラーム設定に関する各種制御を行うスケジュールアラーム制御部１０１と、ブラウザ機能部１０２と、画面表示に関する各種制御を行う表示制御部１０３と、その他の各種の機能部１１０−１〜１１０−ｎとを備える。表示制御部１０３は、表示部１０４と表示データ取得部１０５を備える。ブラウザ機能部１０２を利用して画面にデータを表示する場合、表示データ１２０は無線回線を介してブラウザ機能部１０２に送信される。
【００２５】
携帯電話機１００は、携帯電話機１００の各部を制御するＣＰＵ（図示せず。）と、ＣＰＵが実行する各種の制御プログラムやかな文字変換等に使用される辞書等の固定的なデータを記憶するＲＯＭ（Ｒｅａｄ  Ｏｎｌｙ  Ｍｅｍｏｒｙ）（図示せず。）と、ＣＰＵがプログラムを実行する上で一時的に必要とされるデータなどの各種データを記憶する作業用メモリ（図示せず。）と、各種の設定情報を記憶する制御定義用メモリ（図示せず。）とを備える。
【００２６】
スケジュールアラーム制御部１０１は、スケジュールアラーム設定メニューを出力する処理や、入力された件名、日時、アラームの音量および音色等を登録する処理およびスケジュールアラーム設定時刻に達した場合にアラームを出力する処理を実行する機能を有する。入力された情報は制御定義用メモリに記憶される。ブラウザ機能部１０２は、コンテンツファイルを表示するためのアプリケーションである。
【００２７】
表示制御部１０３は、画面表示に関する各種の処理を実行する機能を有する。表示制御部１０３は、例えば、スケジュールアラーム制御部１０１やブラウザ機能部１０２等から出力されたデータを表示部１０４に出力する処理を実行する機能を有する。
【００２８】
表示部１０４は、例えば、液晶表示装置や有機ＥＬ（Ｅｌｅｃｔｒｏｌｕｍｉｎｅｓｃｅｎｃｅ）ディスプレイ装置等のディスプレイ装置によって実現され、コンテンツ情報などのデータを表示する。
【００２９】
表示データ取得部１０５は、表示部１０４に表示されたコンテンツ情報から、時刻情報を検索する処理を実行する機能を有する。検索対象とする時刻情報は、例えば、「数字：数字」からなる文字列や、「時」と「分」との対と数字からなる文字列などである。表示データ取得部１０５は、検索された時刻情報を２４時間表記に変換する処理を実行する機能を有する。
【００３０】
第１の実施の形態において、時刻情報検索手段は、表示データ取得部１０５によって実現される。また、アラーム設定手段は、スケジュールアラーム制御部１０１によって実現される。
【００３１】
次に、図１、図２、図３、図４、図５、図６および図７を参照して第１の実施の形態の方法について説明する。まず、図１を参照して、表示データ１２０の流れの概要について説明する。表示データ１２０は、無線回線を介してブラウザ機能部１０２に出力される（ステップＳ１）。ブラウザ機能部１０２は、表示制御部１０３を介して表示部１０４に表示データ１２０を出力する（ステップＳ２）。表示データ取得部１０５は、表示部１０４に表示された表示データ１２０を参照して時刻情報を検索する（ステップＳ３）。スケジュールアラーム制御部１０１は、検索された時刻情報を制御定義用メモリに記憶することにより、スケジュールアラーム設定を行う（ステップＳ４）。
【００３２】
図２〜７は、スケジュールアラームを設定する方法の一例を説明するための説明図である。図２〜７に示す例では、交通機関の乗り換え案内のコンテンツ情報に基づいて、スケジュールアラームを設定する方法を示す。
【００３３】
図２は、乗り換え案内コンテンツ画面２００の一例を示す説明図である。ブラウザ機能部１０２がユーザの入力情報に基づいて表示部１０４に乗り換え案内コンテンツ画面２００を表示している場合に、ユーザによってサブメニューボタン２０１が選択されると、ＣＰＵはＲＯＭに記憶されたサブメニューアプリケーションを起動し、表示部１０４にサブメニュー画面３００が表示される。図３はサブメニュー画面３００の一例を示す説明図である。サブメニュー画面３００は、ブラウザ機能部１０２が表示部１０４に表示した情報に対して、実行させる処理の選択をユーザに促すための画面である。図３に示す例では、実行させる処理として「スケジュールアラーム連携」が選択可能となっている。
【００３４】
サブメニュー画面３００において、ユーザによって「スケジュールアラーム連携」が選択されると、スケジュールアラーム制御部１０１は、表示データ取得部１０５に時刻情報検索処理を実行させる。時刻情報検索処理は、表示部１０４に表示されたコンテンツ情報から、時刻情報に関する部分を検索し、検索した時刻情報を作業用メモリに記憶する処理である。
【００３５】
さらに、表示制御部１０３は、検索した時刻情報を表示部１０４上で明示する。図４は、乗り換え案内コンテンツ画面４００の一例を示す説明図である。図４に示す例では、乗り換え案内コンテンツ画面４００において、乗り換え案内コンテンツにおける時刻情報４０１、４０２および４０３が検索され、枠線で囲まれることにより明示されている。
【００３６】
次に、ユーザによってスケジュールアラームを設定する時刻情報が選択されると、表示制御部１０３は選択された時刻情報を明示する。図５は、乗り換え案内コンテンツ画面５００の一例を示す説明図である。図５に示す例では、乗り換え案内コンテンツ画面５００において、時刻情報５０１が選択されたことを示す。さらに、スケジュールアラーム制御部１０１は、表示部１０４にスケジュールアラーム設定メニュー画面６００を表示する。図６は、スケジュールアラーム設定メニュー画面６００の一例を示す説明図である。
【００３７】
スケジュールアラーム設定メニュー画面６００には、「スケジュール登録（１件）」および「スケジュール登録（全件）」のメニューが表示される。スケジュールアラーム設定メニュー画面６００は、乗り換え案内コンテンツ画面５００で選択した時刻情報１件のみをスケジュールアラーム設定する処理と、乗り換え案内コンテンツ画面４００で検索された時刻情報の全てをスケジュールアラーム設定する処理との選択をユーザに促すための画面である。
【００３８】
図６に示す例では、スケジュールアラーム設定メニュー画面６００において、「スケジュール登録（全件）」が選択されたことを示す。「スケジュール登録（全件）」が選択された場合、スケジュールアラーム制御部１０１は、作業用メモリに記憶されている時刻情報のうち、全ての時刻情報を制御定義用メモリに記憶することにより、スケジュールアラーム設定を行う。また、スケジュールアラーム制御部１０１は、表示部１０４にスケジュールアラーム設定確認画面７００を表示し、スケジュールアラーム設定がなされた時刻情報を表示する。図７は、スケジュールアラーム設定確認画面７００の一例を示す説明図である。
【００３９】
スケジュールアラーム設定メニュー画面６００において、「スケジュール登録（１件）」が選択された場合は、スケジュールアラーム制御部１０１は、作業用メモリに記憶されている時刻情報のうち、乗り換え案内コンテンツ画面５００において選択された時刻情報５０１を制御定義用メモリに記憶することにより、スケジュールアラーム設定を行う。また、ユーザによってスケジュールアラーム設定確認画面７００の継続ボタン７０１が選択されると、乗り換え案内コンテンツ画面５００が表示され、ユーザはスケジュールアラーム設定を繰り返し実行することができる。なお、終了ボタン７０２が選択された場合、スケジュールアラーム制御部１０１は、一連の処理を終了する。なお、スケジュールアラーム制御部１０１は、携帯電話機１００に内蔵されている時計の時刻が指定時刻に達した場合には、アラームを出力する。
【００４０】
以上に説明したように、第１の実施の形態によれば、ユーザは表示部１０４に表示されたコンテンツ情報を記憶することなく、コンテンツ情報に基づいたスケジュールアラームの設定が可能となるため、容易にスケジュールアラーム設定を行うことができる。
【００４１】
実施の形態２．
次に、本発明の第２の実施の形態について、図面を参照して説明する。なお、本発明の第２の実施の形態における携帯電話機の構成は、第１の実施の形態における携帯電話機の構成（図１）と同様なため説明を省略する。
【００４２】
次に、図２、図３、図４、図８、図９、図１０および図１１を参照して第２の実施の形態の方法について説明する。なお、図２〜４についての説明は、第１の実施の形態における説明と同様なため説明を省略する。
【００４３】
図４に示すように、時刻情報が明示されると、ユーザは携帯電話機１００のカーソルキーを操作することにより、スケジュールアラームを設定する時刻情報を選択する。ここで、下向きのカーソルキーが押下されると、乗り換え案内コンテンツ画面５００に表示されているカーソルを含む行が全て選択される。また、上向きのカーソルキーが押下されると、乗り換え案内コンテンツ画面５００に表示されているカーソルの１行上の行が全て選択される。右向きまたは左向きのカーソルキーが押下された場合は、左右に１文字ずつ選択可能となる。図８は、乗り換え案内コンテンツ画面８００の一例を示す説明図である。図８に示す例では、カーソルキーが操作されることにより、文字列「新大阪〜東京」が選択されたことを示す。なお、文字列が選択された状態で、メニューボタン８０２が選択され、コピーやペースト等の共通的な機能を選択可能なメニュー画面（図示せず。）においてコピーが選択されると、選択された文字列が作業用メモリに記憶される。さらに、ユーザによってスケジュールアラームを設定する時刻情報が選択されると、表示制御部１０３は選択された時刻情報を明示する。図８に示す例では、乗り換え案内コンテンツ画面８００において、時刻情報８０３が選択されたことを示す。
【００４４】
次に、スケジュールアラーム制御部１０１は、表示部１０４にスケジュールアラーム設定メニュー画面９００を表示する。図９は、スケジュールアラーム設定メニュー画面９００の一例を示す説明図である。図９に示す例では、スケジュールアラーム設定メニュー画面９００において、「スケジュール登録（１件）」が選択されたことを示す。
【００４５】
スケジュールアラーム設定メニュー画面９００において、「スケジュール登録（１件）」が選択された場合は、スケジュールアラーム制御部１０１は、スケジュールアラーム設定詳細画面１０００を表示する。図１０は、スケジュールアラーム設定詳細画面１０００の一例を示す説明図である。スケジュールアラーム設定詳細画面１０００は、日付情報、時刻情報および件名情報を含む。スケジュールアラーム制御部１０１は、日付情報として携帯電話機１００のシステム日付を表示し、時刻情報として乗り換え案内コンテンツ画面８００において選択されるとともに作業用メモリに記憶された時刻情報を表示する。件名情報は、ユーザによって任意に入力可能な情報である。また、日付情報および時刻情報は、ユーザによって修正可能な情報である。
【００４６】
カーソルが件名部分に移動されてメニューボタン１００１が選択され、メニュー画面（図示せず。）においてペーストが選択されると、作業用メモリに記憶されていた文字列「新大阪〜東京」がペーストされる。登録ボタン１００２が選択された場合、スケジュールアラーム制御部１０１は、スケジュールアラーム設定詳細画面１０００に表示された情報を制御定義用メモリに記憶することにより、スケジュールアラーム設定を行う。
【００４７】
また、スケジュールアラーム制御部１０１は、表示部１０４にスケジュールアラーム設定確認画面１１００を表示し、スケジュールアラーム設定を行った日付情報、時刻情報および件名情報を表示する。図１１は、スケジュールアラーム設定確認画面１１００の一例を示す説明図である。ユーザによってスケジュールアラーム設定確認画面１１００の継続ボタン１１０１が選択されると、乗り換え案内コンテンツ画面８００が表示され、ユーザはスケジュールアラーム設定を繰り返し実行することができる。なお、終了ボタン１１０２が選択された場合、スケジュールアラーム制御部１０１は、一連の処理を終了する。また、スケジュールアラーム制御部１０１は、携帯電話機１００に内蔵されている時計の時刻が指定時刻に達した場合には、アラームを出力するとともに、制御定義用メモリに記憶されている件名情報（例えば「新大阪〜東京」）を表示部１０４に表示する。
。
【００４８】
以上に説明したように、第２の実施の形態によれば、第１の実施の形態による効果に加えて、ユーザは表示部１０４に表示されたコンテンツ情報について、時刻情報以外の情報をコピーおよびペーストすることにより、すなわち、時刻情報以外の選択した情報をアラーム設定時刻に付随させることにより詳細なスケジュールアラーム設定を容易に行うことができる。
【００４９】
実施の形態３．
次に、本発明の第３の実施の形態について、図面を参照して説明する。なお、本発明の第３の実施の形態における携帯電話機の構成は、第１の実施の形態における携帯電話機の構成（図１）と同様なため説明を省略する。
【００５０】
次に、図１２を参照して第３の実施の形態の方法について説明する。第３の実施の形態では、スケジュールアラーム制御部１０１は、時間差設定機能を有する。時間差設定機能とは、スケジュールアラーム設定した時刻に対して、時間差設定した時間分だけずれた時刻にアラームを出力する機能である。なお、ここで設定する時間を、時間差設定情報と表記する。
【００５１】
ＲＯＭに記憶されたスケジュールアラーム時間差設定アプリケーションがユーザによって起動されると、スケジュールアラーム制御部１０１は、スケジュールアラーム時間差設定画面１２００を表示部１０４に表示する。図１２は、スケジュールアラーム時間差設定画面１２００の一例を示す説明図である。スケジュールアラーム時間差設定画面１２００は、時間差設定情報を表示する。時間差設定情報は、ユーザによって任意に入力可能な情報であるが、予め工場出荷時等に設定されていてもよい。
【００５２】
ユーザによって時間差設定情報が入力されると、スケジュールアラーム制御部１０１は、制御定義用メモリに時間差設定情報を記憶する。図１２に示す例では、時間差設定情報として「１０分前」と設定されている。したがって、スケジュールアラーム設定画面７００，１１００においてスケジュールアラーム設定された時刻に達する１０分前に、アラームが出力される。
【００５３】
以上に説明したように、第３の実施の形態によれば、スケジュールアラーム設定された時刻に達する前にアラームが出力されることから、予備的にアラームを出力することができ、より確実なスケジュール管理に利用できる。
【００５４】
実施の形態４．
次に、本発明の第４の実施の形態について、図面を参照して説明する。なお、本発明の第４の実施の形態における携帯電話機の構成は、第１の実施の形態における携帯電話機の構成（図１）と同様なため説明を省略する。
【００５５】
次に、図１２および図１３を参照して第４の実施の形態の方法について説明する。第４の実施の形態では、スケジュールアラーム制御部１０１は、スヌーズ機能を有する。スヌーズ機能とは、ある設定された時刻以降、スヌーズ間隔設定した時間おきにアラームを出力する機能である。第４の実施の形態では、スケジュールアラーム設定した時刻に対して、時間差設定した時間分だけ前の時刻にアラームを出力するとともに、以降はスヌーズ間隔設定した時間おきにアラームを出力する。
【００５６】
ＲＯＭに記憶されたスケジュールアラームスヌーズ設定アプリケーションがユーザによって起動されると、スケジュールアラーム制御部１０１は、スケジュールアラームスヌーズ設定画面１３００を表示部１０４に表示する。図１３は、スケジュールアラームスヌーズ設定画面１３００の一例を示す説明図である。スケジュールアラームスヌーズ設定画面１３００は、スヌーズ間隔設定情報を含む。スヌーズ間隔設定情報は、ユーザによって任意に入力可能な情報である。
【００５７】
ユーザによってスヌーズ間隔設定情報が入力されると、スケジュールアラーム制御部１０１は、制御定義用メモリにスヌーズ間隔設定情報を記憶する。図１２に示す例では、時間差設定情報として「１０分前」と設定されるとともに、図１３に示す例では、スヌーズ間隔設定情報として「１分」が設定されている。したがって、スケジュールアラーム設定画面７００，１１００において設定された時刻に達する１０分前から１分間隔で、アラームが出力される。
【００５８】
以上に説明したように、第４の実施の形態によれば、スケジュールアラーム設定された時刻に達する前から、設定した時間間隔でアラームが出力されることから、第３の実施の形態と同様に予備的にアラームを出力することができ、より確実なスケジュール管理に利用することができる。
【００５９】
なお、上記の第１，２，３，４の実施の形態では、ＷＥＢサイトのコンテンツ情報を参照してスケジュールアラーム設定を行う場合を示したが、電子メールの内容を参照してもよい。
【産業上の利用可能性】
【００６０】
本発明は、予め設定されたアラーム設定時刻にアラームを出力可能な携帯電話機に効果的に適用できる。
【図面の簡単な説明】
【００６１】
【図１】本発明の第１の実施の形態における携帯電話機の構成例を示すブロック図である。
【図２】乗り換え案内コンテンツ画面の一例を示す説明図である。
【図３】サブメニュー画面の一例を示す説明図である。
【図４】乗り換え案内コンテンツ画面の一例を示す説明図である。
【図５】乗り換え案内コンテンツ画面の一例を示す説明図である。
【図６】スケジュールアラーム設定メニュー画面の一例を示す説明図である。
【図７】スケジュールアラーム設定確認画面の一例を示す説明図である。
【図８】乗り換え案内コンテンツ画面の一例を示す説明図である。
【図９】スケジュールアラーム設定メニュー画面の一例を示す説明図である。
【図１０】スケジュールアラーム設定詳細画面の一例を示す説明図である。
【図１１】スケジュールアラーム設定確認画面の一例を示す説明図である。
【図１２】スケジュールアラーム時間差設定画面の一例を示す説明図である。
【図１３】スケジュールアラームスヌーズ設定画面の一例を示す説明図である。
【図１４】携帯電話機の構成例を示すブロック図である。
【図１５】乗り換え案内コンテンツ画面の一例を示す説明図である。
【図１６】スケジュールアラーム設定画面の一例を示す説明図である。
【図１７】スケジュールアラーム設定画面の一例を示す説明図である。
【図１８】スケジュールアラーム設定画面の一例を示す説明図である。
【図１９】スケジュールアラーム設定確認画面の一例を示す説明図である。
【符号の説明】
【００６２】
１００  携帯電話機
１０１  スケジュールアラーム制御部
１０２  ブラウザ機能部
１０３  表示制御部
１０４  表示部
１０５  表示データ取得部
１１０−１〜ｎ  機能部
１２０  表示データ
【図１】
2006203636.tif 000003
【図２】
2006203636.tif 000004
【図３】
2006203636.tif 000005
【図４】
2006203636.tif 000006
【図５】
2006203636.tif 000007
【図６】
2006203636.tif 000008
【図７】
2006203636.tif 000009
【図８】
2006203636.tif 000010
【図９】
2006203636.tif 000011
【図１０】
2006203636.tif 000012
【図１１】
2006203636.tif 000013
【図１２】
2006203636.tif 000014
【図１３】
2006203636.tif 000015
【図１４】
2006203636.tif 000016
【図１５】
2006203636.tif 000017
【図１６】
2006203636.tif 000018
【図１７】
2006203636.tif 000019
【図１８】
2006203636.tif 000020
【図１９】
2006203636.tif 000021